(57)【要約】【課題】新品ベルトの張力を調整するときに、過張力となるのを抑制することができるアイドルプーリのベルト張力調整構造を提供する。【解決手段】ベルト１６の張力を規定値に調整するアイドルプーリ１５のベルト張力調整構造に関し、エンジン１０に設けられ、アイドルプーリ１５を支持すると共に、アイドルプーリ１５の位置を調整するためのスリット２３が形成されたアイドルプーリブラケット１８と、スリット２３を移動させて位置調整したアイドルプーリ１５を、アイドルプーリブラケット１８に固定するための移動固定手段３９とを備え、スリット２３はクランク状に形成される。【選択図】図１
2017096476.tif 000002
【特許請求の範囲】
【請求項１】
エンジンの駆動力をベルトを介して高駆動力の補機に伝達すると共にそのベルトの張力を調整するアイドルプーリの位置を調整して、ベルトの張力を規定値に調整するアイドルプーリのベルト張力調整構造において、
前記エンジンに設けられ、前記アイドルプーリを支持すると共に、前記アイドルプーリの位置を調整するためのスリットが形成されたアイドルプーリブラケットと、
前記スリットを移動させて位置調整した前記アイドルプーリを、前記アイドルプーリブラケットに固定するための移動固定手段とを備え、
前記スリットは、クランク状に形成されることを特徴とするアイドルプーリのベルト張力調整構造。
【請求項２】
前記スリットは、第１スリットの上端と第２スリットの下端が、その第１スリットおよびその第２スリットと交差する連結スリットで連結されてクランク状に形成される請求項１記載のアイドルプーリのベルト張力調整構造。
【請求項３】
前記第１スリットは、新品ベルトの張力が規定値に対して過張力となるのを抑制するスリット長に形成され、前記第２スリットは、前記ベルトの寿命近くまでベルトの張力を規定値に調整できるスリット長に形成される請求項２記載のアイドルプーリのベルト張力調整構造。
【請求項４】
前記アイドルプーリは、前記移動固定手段に回転自在に支持され、前記移動固定手段が、前記スリットに案内されて、前記アイドルプーリブラケットに移動自在に設けられる請求項１〜３いずれかに記載のアイドルプーリのベルト張力調整構造。
【請求項５】
前記アイドルプーリブラケットには、前記ベルトの張力を調整するためのベルト調整用牽引ボルトが設けられ、そのベルト調整用牽引ボルトが、前記移動固定手段の移動ブロックに設けたネジ穴に螺合して前記移動固定手段の位置を調整し、
前記アイドルプーリブラケットには、前記ベルト調整用牽引ボルトを挿通させるボルト挿通穴が形成され、
前記ボルト挿通穴は、前記移動固定手段がクランク状の前記スリットに案内されて移動できるように、前記ベルト調整用牽引ボルトの移動を許容する長穴に形成された請求項４記載のアイドルプーリのベルト張力調整構造。
【発明の詳細な説明】
【技術分野】
【０００１】
本発明は、エンジンのクランク軸で冷凍機等の高駆動力の補機をベルトで駆動する際にアイドルプーリの位置を調整してベルトの張力を調整するためのアイドルプーリのベルト張力調整構造に関するものである。
【背景技術】
【０００２】
冷蔵冷凍車に架装される冷凍ユニットは、車両のエンジン動力を利用して冷凍機（圧縮機）を稼働する直結方式が採用されている。
【０００３】
冷凍機は、エンジンにブラケット等で取り付けられ、冷凍機用プーリが、クランクプーリとベルトで連結されて駆動される。このベルトの張力を調整するために、エンジンにアイドルプーリブラケットを介してアイドルプーリを移動可能に設け、そのアイドルプーリの位置を調整することでベルトの張力が調整される。
【先行技術文献】
【特許文献】
【０００４】
【特許文献１】特開２０００−３３７４６３号公報
【特許文献２】実開平０５−００３７１０号公報
【特許文献３】実開平０６−０２２５３９号公報
【発明の概要】
【発明が解決しようとする課題】
【０００５】
ところで、エンジンで駆動される冷凍機の動力は、１〜１０ｋＷであり、高駆動力のため、ベルトの張力が弛んでしまい、ベルトがスリップ音を発して運行が困難となる問題がある。このためベルトの張力調整は、頻繁（例えば１週間〜１ヶ月に１度）に張力を調整する必要がある。
【０００６】
しかしながら、自動張力調整機構がない場合の安価なアイドルプーリの固定方法では、位置調整されたアイドルプーリをアイドルプーリブラケットに固定した後、エンジンを少し回してベルトの張力が均等になるようにしてから、超音波張力計にてベルトの張力が適正であることを確認しなければならず、作業が繁雑となる。このため、張力調整時には、張力を高くして、ベルトを設定よりも張り過ぎて調整してしまう傾向にある。
【０００７】
このように、ベルトを張り過ぎることで、次の調整期間まで、ベルトが鳴くことは少なくなるが、ベルトの張力が高いことによって、各部の強度が厳しくなり、アイドルプーリブラケットが亀裂を起こす等の不具合を起こしやすくなる問題が発生する。
【０００８】
また、この問題は、張力調整の締め代が十分ある新品ベルトで起こり易い。
【０００９】
そこで、本発明の目的は、上記課題を解決し、新品ベルトの張力を調整するときに、過張力となるのを抑制することができるアイドルプーリのベルト張力調整構造を提供することにある。
【課題を解決するための手段】
【００１０】
上記目的を達成するために本発明は、エンジンの駆動力をベルトを介して高駆動力の補機に伝達すると共にそのベルトの張力を調整するアイドルプーリの位置を調整して、ベルトの張力を規定値に調整するアイドルプーリのベルト張力調整構造において、前記エンジンに設けられ、前記アイドルプーリを支持すると共に、前記アイドルプーリの位置を調整するためのスリットが形成されたアイドルプーリブラケットと、前記スリットを移動させて位置調整した前記アイドルプーリを、前記アイドルプーリブラケットに固定するための移動固定手段とを備え、前記スリットは、クランク状に形成されることを特徴とするアイドルプーリのベルト張力調整構造である。
【００１１】
前記スリットは、第１スリットの上端と第２スリットの下端が、その第１スリットおよびその第２スリットと交差する連結スリットで連結されてクランク状に形成されることが好ましい。
【００１２】
前記第１スリットは、新品ベルトの張力が規定値に対して過張力となるのを抑制するスリット長に形成され、前記第２スリットは、前記ベルトの寿命近くまでベルトの張力を規定値に調整できるスリット長に形成されることが好ましい。
【００１３】
前記アイドルプーリは、前記移動固定手段に回転自在に支持され、前記移動固定手段が、前記スリットに案内されて、前記アイドルプーリブラケットに移動自在に設けられることが好ましい。
【００１４】
前記アイドルプーリブラケットには、前記ベルトの張力を調整するためのベルト調整用牽引ボルトが設けられ、そのベルト調整用牽引ボルトが、前記移動固定手段の移動ブロックに設けたネジ穴に螺合して前記移動固定手段の位置を調整し、前記アイドルプーリブラケットには、前記ベルト調整用牽引ボルトを挿通させるボルト挿通穴が形成され、前記ボルト挿通穴は、前記移動固定手段がクランク状の前記スリットに案内されて移動できるように、前記ベルト調整用牽引ボルトの移動を許容する長穴に形成されることが好ましい。
【発明の効果】
【００１５】
本発明は、新品ベルトの張力を調整するときに、過張力となるのを抑制することができるという優れた効果を発揮する。
【図面の簡単な説明】
【００１６】
【図１】本発明のアイドルプーリのベルト張力調整構造をエンジンで駆動される冷凍機に適用した例を示す概略図である。
【図２】本発明のアイドルプーリのベルト張力調整構造を示し、（ａ）は斜視図、（ｂ）は断面図である。
【図３】本発明のアイドルプーリのベルト張力調整構造におけるアイドルプーリブラケットとベルト調整用牽引ボルトを示す斜視図であり、（ａ）は、第１スリットを使用する状態、（ｂ）は第２スリットを使用する状態を示す図である。
【図４】本発明のアイドルプーリのベルト張力調整構造において、ベルト新品時のスリット使用範囲と、ベルト弛み時のスリット使用範囲（調整範囲）との関係を示す図である。
【図５】従来のアイドルプーリのベルト張力調整構造を示す斜視図である。
【図６】従来のアイドルプーリのベルト張力調整構造において、ベルト新品時のスリット使用範囲と、ベルト弛み時のスリット使用範囲（調整範囲）との関係を示す図である。
【発明を実施するための形態】
【００１７】
以下、本発明の好適な一実施の形態を添付図面に基づいて詳述する。
【００１８】
図１に示すように、エンジン１０の動力を利用して稼働される高駆動力の補機としての冷凍機（圧縮機）１１は、エンジン１０に冷凍機用ブラケット１２を介して取り付けられる。
【００１９】
エンジン１０にはクランクプーリ１３が設けられ、冷凍機１１には冷凍機用プーリ１４が設けられる。クランクプーリ１３と冷凍機用プーリ１４とアイドルプーリ１５には、ベルト１６が巻き掛けられ、アイドルプーリ１５の位置をベルト張力調整装置１７で調整することによりベルト１６の張力が調整される。
【００２０】
図２（ａ）および図２（ｂ）に示すように、ベルト張力調整装置１７は、エンジン１０に設けられ、アイドルプーリ１５を支持するためのアイドルプーリブラケット１８と、アイドルプーリ１５を回転自在に支持すると共に、アイドルプーリブラケット１８に移動自在に設けられる移動ブロック１９と、アイドルプーリブラケット１８に頭部２０ｈが支持され、ネジ部２０ｓが移動ブロック１９にねじ込まれてベルト１６の張力を調整するベルト調整用牽引ボルト２０とを備えて構成される。
【００２１】
アイドルプーリブラケット１８は、上下方向に延びる金属製の板部材からなり、エンジン１０にボルト止めするためのボルト穴２２と、アイドルプーリ１５の位置を調整するためのスリット２３と、アイドルプーリブラケット１８の上端部がアイドルプーリ１５と反対側に折り曲げられて形成された支持座１８ｓと、支持座１８ｓに形成され、ベルト調整用牽引ボルト２０が挿通されるボルト挿通穴２４とを有する。
【００２２】
図３（ａ）および図３（ｂ）に示すように、スリット２３は、クランク状に形成される。具体的には、スリット２３は、アイドルプーリブラケット１８の下端部から中間部にかけて延びる第１スリット２３ａと、アイドルプーリブラケット１８の中間部から上端部にかけて延びる第２スリット２３ｂと、第１スリット２３ａおよび第２スリット２３ｂと交差して、第１スリット２３ａの上端と第２スリット２３ｂの下端を連結する連結スリット２３ｃとからなる。
【００２３】
第１スリット２３ａは、新品ベルトの張力が規定値に対して過張力となるのを抑制するスリット長に形成される。また、第２スリット２３ｂは、補機の駆動によりベルト１６が弛んだときに、ベルト１６の寿命近くまでベルト１６の張力を規定値に調整できるスリット長に形成される。
【００２４】
ボルト挿通穴２４は、移動ブロック１９が連結スリット２３ｃに案内されて第１スリット２３ａから第２スリット２３ｂに移動できるように、ベルト調整用牽引ボルト２０の移動を許容する長さの長穴に形成される。
【００２５】
図２（ａ）および図２（ｂ）に示すように、ベルト調整用牽引ボルト２０は、座金３２が挿通されると共にボルト挿通穴２４に挿通され、ネジ部２０ｓが移動ブロック１９に螺合する。このネジ部２０ｓは、移動ブロック１９を第１スリット２３ａの下端から第２スリット２３ｂの上端まで移動できるように、少なくとも第２スリット２３ｂ上端に対応する位置から第１スリット２３ａ下端に対応する位置まで延びて形成される。
【００２６】
移動ブロック１９は、ベルト調整用牽引ボルト２０が螺合するネジ穴２５が設けられたネジ穴ブロック２６と、ネジ穴ブロック２６に設けられ、アイドルプーリブラケット１８に設けたスリット２３を挿通するアイドルプーリ固定ボルト２７と、アイドルプーリ１５を支持すべく、アイドルプーリ固定ボルト２７に挿通されて設けられたアイドルプーリ支持ブロック２８とからなる。
【００２７】
アイドルプーリ支持ブロック２８には、軸受３０を介してアイドルプーリ１５が回転自在に設けられる。アイドルプーリ固定ボルト２７は、アイドルプーリ支持ブロック２８から突出する長さに形成され、このアイドルプーリ固定ボルト２７に、座金３３を介してアイドルプーリ固定ナット２９をねじ込んで締め付けることで、アイドルプーリ支持ブロック２８とネジ穴ブロック２６とが、アイドルプーリブラケット１８を挟み、移動ブロック１９がアイドルプーリブラケット１８に固定される。これにより、スリット２３を移動させて位置調整したアイドルプーリブラケット１８が、アイドルプーリ１５に固定される。すなわち、本発明の移動固定手段３９は、これら移動ブロック１９およびアイドルプーリ固定ナット２９等から構成される。
【００２８】
次に、本実施の形態の作用および効果を説明する。先ず、ベルト新品時におけるベルト１６の張力の調整について説明する。
【００２９】
ベルト新品時においては、先ず、アイドルプーリ１５が第１スリット２３ａに位置した状態で、アイドルプーリ固定ボルト２７に螺合しているアイドルプーリ固定ナット２９をやや緩める。これにより、アイドルプーリブラケット１８を挟持しているネジ穴ブロック２６とアイドルプーリ支持ブロック２８との間隔が緩まり、移動ブロック１９とアイドルプーリ１５を移動できる状態となる。
【００３０】
この状態で、ベルト調整用牽引ボルト２０を締め付けて、ネジ部２０ｓをネジ穴ブロック２６のネジ穴２５にねじ込むことで、移動ブロック１９が第１スリット２３ａに案内されて移動すると共に、その移動ブロック１９に支持されたアイドルプーリ１５が第１スリット２３ａに沿って移動する。これにより、新品ベルトの張力を調整することができる。
【００３１】
ベルト張力の調整後は、アイドルプーリ固定ナット２９を締め付けて、アイドルプーリ１５を移動ブロック１９を介してアイドルプーリブラケット１８に固定する。
【００３２】
ここで、図５に示すように、アイドルプーリブラケット１０１のスリット１０２が直線状の長穴で形成されている場合には、ベルト新品時の張力調整の締め代が大きく、また、ベルト新品時のスリット使用範囲とベルト弛み時のスリット使用範囲（調整範囲）とを区別することが難しい（図６を参照）。この場合、誤ってベルトを張り過ぎてしまうと、アイドルプーリブラケットが亀裂を起こす等の不具合を起こしやすくなる。
【００３３】
これに対して、本実施形態においては、スリット２３がクランク状に形成されているため、新品ベルトの張力を調整するときに、クランクの突き当たり（すなわち、第１スリット２３ａの上端）で、移動ブロック１９とアイドルプーリ１５の移動が規制され、それ以上の過張力を抑制することができる（図４を参照）。また同時に、作業者に過張力を認識させることで、張力を低下させる行動を起こさせることが期待できる。
【００３４】
また、本実施形態の第１スリット２３ａは、新品ベルトの張力が規定値に対して過張力となるのを抑制するスリット長に形成されるため、ベルト張力が規定値よりも高い張力となるのを抑制することができる。
【００３５】
次に、補機の駆動によりベルト１６が弛み、ベルト調整に必要な第１スリット２３ａの長さが不足した場合は、それ以上第１スリット２３ａを使用してベルト１６の張力を規定値に調整することができないため、第２スリット２３ｂを使用してベルト調整する。
【００３６】
具体的には、先ず、アイドルプーリ固定ナット２９をやや緩めると共に、ベルト調整用牽引ボルト２０の締め付けを調整して、移動ブロック１９を第１スリット２３ａの上端付近に位置させる。そして、連結スリット２３ｃを用いてアイドルプーリ固定ボルト２７を第２スリット２３ｂに挿通させることで、アイドルプーリ１５を第２スリット２３ｂに移動させる。
【００３７】
この状態で、ベルト調整用牽引ボルト２０を締め付けて、ネジ部２０ｓをネジ穴ブロック２６のネジ穴２５にねじ込むことで、移動ブロック１９が第２スリット２３ｂに案内されると共に、アイドルプーリ１５が第２スリット２３ｂに沿って移動する。これにより、弛んだベルト１６の張力を調整することができる。
【００３８】
また、本実施形態において、第２スリット２３ｂは、ベルト１６の寿命近くまでベルト１６の張力を規定値に調整できるスリット長に形成されるため、弛んだベルト１６を規定値に調整しつつ、寿命近くまでベルト１６を使用することができる。
【００３９】
また、本実施形態のスリット２３は、第１スリット２３ａの上端と第２スリット２３ｂの下端が連結スリット２３ｃで連結されて形成されるため、第１スリット２３ａから第２スリット２３ｂへの切り換えを容易に行うことができる。
【００４０】
さらに、ベルト調整用牽引ボルト２０が挿通されるボルト挿通穴２４は、移動ブロック１９がクランク状のスリット２３に案内されて移動できるように、ベルト調整用牽引ボルト２０の移動を許容する長穴に形成される。このため、ベルト調整用牽引ボルト２０は、移動ブロック１９と共に、第１スリット２３ａ側から第２スリット２３ｂ側へ移動させることできる。
【符号の説明】
【００４１】
１０  エンジン
１１  冷凍機（補機）
１５  アイドルプーリ
１６  ベルト
１８  アイドルプーリブラケット
２０  ベルト調整用牽引ボルト
２３  スリット
３９  移動固定手段
【図１】
2017096476.tif 000003
【図２】
2017096476.tif 000004
【図３】
2017096476.tif 000005
【図４】
2017096476.tif 000006
【図５】
2017096476.tif 000007
【図６】
2017096476.tif 000008